(57)【要約】この発明は、眼鏡枠及び少なくとも１つの着脱可能なテンプルを備えたデータ交換システム、眼鏡枠から離脱されたときに着脱可能なテンプルを受容するための基地局に関する。着脱可能なテンプルは、接続インタフェース、特に眼鏡枠の電気接続インタフェースと嵌合するように構成された接続インタフェースを備える。この発明はまた、基地局の電子接続インタフェースに関する。このデータ交換システムは、ユーザが快適な方法で眼鏡を装用することを可能にし、同時に、眼鏡に組み込まれるあらゆる装置からのデータ交換を安全なものにすることができる。【選択図】図１
2014502364.tif 000002
【特許請求の範囲】
【請求項１】
眼鏡枠及び少なくとも一つの着脱可能なテンプルと、
前記眼鏡枠から分離されるときに、前記着脱可能なテンプルを受け取るための基地局と
を備え、
前記着脱可能なテンプルは、接続インタフェース、特に前記眼鏡枠の電気接続インタフェース、及び前記基地局の電気接続インタフェースと嵌合するように構成される電気接続インタフェースを備えるデータ交換システム。
【請求項２】
前記基地局の第２の電気接続インタフェース、及び第２接続インタフェース、特に前記眼鏡枠の電気接続インタフェースと嵌合するよう構成された第２の電気接続インタフェースを有する第２の着脱可能なテンプルを更に備えた請求項１に記載のデータ交換システム。
【請求項３】
前記第２の電気接続インタフェースは、第１の電気接続インタフェースと異なっており、特に前記第１の接続インタフェースと互換性がない請求項２記載のデータ交換システム。
【請求項４】
前記眼鏡枠は第１又は第２の電気接続インタフェースを介して電源の供給を受けるよう構成された装置を備える請求項１乃至３のいずれかに記載のデータ交換システム。
【請求項５】
前記装置は少なくとも一つのアンテナ回路を備える請求項４記載のデータ交換システム。
【請求項６】
アンテナ回路を備えた少なくとも一つのコンタクトレンズを更に砂得た請求項５に記載のデータ交換システム。
【請求項７】
前記第１及び／又は第２のテンプルは、蓄電池、記憶手段、マイクロ・コントローラ、検出器、無線データ送信及び／又は受信装置、及び信号生成器のうちの少なくとも１つを備える請求項１乃至６のいずれかに記載のデータ交換システム。
【請求項８】
前記検出器は温度検出器、加速度計、ジャイロメータ、心臓リズム測定器のうちの少なくとも１つである請求項７記載のデータ交換システム。
【請求項９】
前記第２のテンプルのみが蓄電池を備える請求項８記載のデータ交換システム。
【請求項１０】
前記第１の接続インタフェースは、前記第１のテンプルから前記眼鏡枠及び／又は第２のテンプルへの電源供給、データ転送及び信号転送のうちの少なくとも１つを可能にする多端子ピンコネクタを含む請求項１乃至９のいずれか１項に記載のデータ交換システム。
【請求項１１】
前記多端子ピンコネクタは、標準コネクタ、特にＡ型又はＢ型のＵＳＢ１、ＵＳＢ２、又はＵＳＢ３コネクタ、ＵＳＢミニ、ＵＳＢマイクロ又はＦｉｒｅＷｉｒｅＩＥＥＥ１３９４コネクタである請求項１０記載のデータ交換システム。
【請求項１２】
前記第２の接続インタフェースは電源供給を許容するように構成される請求項１乃至１１のいずれか記載のデータ交換システム。
【請求項１３】
前記第２の接続インタフェースは電源供給を許容するのみであるよう構成される請求項１２記載のデータ交換システム。
【請求項１４】
前記基地局は、付加的な電子的装置、特にコンピュータ、記憶装置、プリンタ、画面表示装置及び／又は外部電源に向けた第３の接続インタフェース（４５）を備える請求項１乃至１３のいずれかに記載のデータ交換システム。
【請求項１５】
前記基地局は更に、前記テンプルが前記基地局に接続するときに可聴信号又は可視信号を出力するよう構成される可聴手段又は視覚手段を備える請求項１乃至１４のいずれかに記載のデータ交換システム。
【請求項１６】
好ましくはフック部（６１）及び嵌合凹部（６３）を有し、前記着脱可能なテンプル（５、４１）の前記眼鏡枠（３）との接続を固定する固定手段を更に備える請求項１乃至１５のいずれかに記載のデータ交換システム。
【請求項１７】
前記固定部は、前記接続インタフェース（１５、１７）の一部でない請求項１６記載のデータ交換システム。
【請求項１８】
請求項１乃至１７のいずれか１つに記載のデータ交換システムにおいて使用される眼鏡であって、眼鏡枠と少なくとも１つの着脱可能なテンプルを備える眼鏡。
【請求項１９】
眼鏡枠及び着脱可能なテンプルを備えた眼鏡に設けられたデバイスと基地局との間でデータを交換するための方法であって、
ａ．  データを取得し、
ｂ．  前記着脱可能なテンプル内の記憶装置にデータを記憶させ、
ｃ．  前記テンプルを外し、
ｄ．  前記テンプルを前記基地局に接続させ、
ｅ．  前記記憶装置からデータを読み出す
工程を備えた方法。
【請求項２０】
眼鏡枠に接続された着脱可能なテンプルに設けられたバッテリを充電する方法であって、
ｆ．  前記テンプルを前記眼鏡枠から外し、
ｇ．  前記テンプルを基地局に接続し、
ｈ．  前記バッテリを前記基地局を介して充電する
工程を備えた方法。
【請求項２１】
請求項１９及び２０に記載の方法であって、前記読み出し及び充電の手順は同時に実行される方法。
【請求項２２】
請求項１９及び２１に記載の方法であって、請求項１乃至１７のいずれかに記載のデータ交換システムを使用する方法。
【発明の詳細な説明】
【技術分野】
【０００１】
本発明は、眼鏡枠、及び少なくとも一つのテンプルを備えているデータ交換システムに関する。
【背景技術】
【０００２】
この種のデータ交換システムは、特許文献１から公知であり、この特許文献１は、信号捕捉、信号処理、信号伝送、データ取得、データ処理及び／又はデータ記憶のため内蔵され又は取り付けられた電気部品を備えた眼鏡を開示している。
【０００３】
テンプルに取り付けられるコードは、基地装置との電気接続を許容する。これにより、電気信号がコードを介してベースから眼鏡に、又はその逆方向に送信される。システムの１つのアプリケーションは、ＭＰ３プレーヤ又はＲＦレシーバから、テンプルに取り入れられているスピーカまで音声信号を送信するためのものである。
【０００４】
しかしながら、電気信号をテンプルの装置に提供するためにコードを使用するため、このシステムはユーザにとってはあまり快適ではない。
【０００５】
特許文献２は、眼鏡枠と、アド・ホック・ネットワークを他の装置と形成しているトランシーバを収容している交換可能なテンプルとを備えたアイ・ウエア（eyewear）を備えた類似のシステムを提案する。ブルートゥース（Bluetooth（登録商標））接続により、特許文献２に従うアイ・ウエアは、他の装置、例えばラジオ、ＣＤプレーヤなどと無線通信を行うことができる。
【０００６】
着脱可能なテンプルを提供することにより、特許文献２のアイ・ウエアは、オーディオ装置、カメラ、スピーカ又はマイクロホンなどの異なるタイプの内蔵装置を有する様々なテンプルを接続することが可能になるので、より柔軟性がある。
【０００７】
しかし、この種のデータ交換を提供するアイ・ウエアは、データ転送の守秘性を確実にするためにはあまり適切でない。守秘性は、搭載されたセンサを有するアイ・ウエアが医学データを検出するために用いられる場合には、最も重要となる。医学データは、権限を与えられた医療スタッフだけがアクセスできるようにされるべきである。
【先行技術文献】
【特許文献】
【０００８】
【特許文献１】米国特許公報第７，１９２，１３６号
【特許文献２】米国特許公報第６，７６９，７６７号
【発明の概要】
【発明が解決しようとする課題】
【０００９】
従って、本発明の目的は、着用しやすいが、同時に、安全なデータ転送を可能にする、眼鏡枠及び少なくとも一つのテンプルを備えているデータ交換システムを提供することである。
【課題を解決するための手段】
【００１０】
この目的は、請求項１に従うデータ交換システムで達成される。本発明のデータ交換システムは眼鏡枠、及び少なくとも一つの着脱可能なテンプル、及び、眼鏡枠からテンプルが分離されるときに、その着脱可能なテンプルを受け取るための基地局を備える。ここで、着脱可能なテンプルは、接続インタフェース、特に前記眼鏡枠の電気接続インタフェース、及び基地局の電気接続インタフェースと嵌合するように構成される電気接続インタフェースを備える。
【００１１】
眼鏡枠の接続インタフェースと嵌合して、同時に基地局の電気接続インタフェースを嵌合する電気接続インタフェースを有する着脱可能なテンプルを用いることにより、基地局への単純なデータ転送は、無線データ転送又はワイヤ・ベースのデータ転送を使用することなく可能となる。テンプルを常に接続状態にし、眼鏡枠に接続するか、又は接続インタフェースを介して基地局に接続するかのいずれかをすることにより、接続インタフェースは、ほこり、湿気などからも常に守られる。
好ましくは、眼鏡枠の接続インタフェースは、電気装置が眼鏡枠に設けられている場合において、電気接続を許容する電気接続インタフェースでもある。
【００１２】
好ましくは、データ交換システムは、基地局の第２の電気接続インタフェース及び眼鏡枠の第２の接続インタフェースを嵌合する第２の電気接続インタフェースを有する第２の着脱可能なテンプルを更に備えることができる。これは、システムの柔軟性を強化する。
好ましくは、第２の電気接続インタフェースは、第１の電気接続インタフェースと異なるものとすることができる。特に第１の接続インタフェースと互換性を有さないものとすることができる。したがって、眼鏡枠の間違った側におけるテンプルの間の誤接続、又は、基地局での誤った接続が防止され得る。
【００１３】
都合のよいことに、眼鏡枠は、第１又は第２の電気接続インタフェースを介してその電源を受信するように構成される装置を備えることができる。
【００１４】
テンプル及びインタフェースを介して電源を提供することによって、眼鏡枠上の装置は、それ自身の電源を搭載している電気装置と比較してより小さく保たれることができる。
【００１５】
有利なことには、眼鏡枠に設けられている装置は、少なくとも一つのアンテナ回路を備えることができる。更に好ましいことには、データ交換システムは、アンテナ回路を備えている少なくとも一つのコンタクトレンズを備えることができる。眼鏡枠に設けられている装置上のアンテナ回路を介して、コンタクトレンズ上のアンテナ回路は、例えば眼内圧（ＩＯＰ）を測定するために活性化され得る。信号はコンタクトレンズから受信され得る。
【００１６】
有利なことには、第１の及び／又は第２のテンプルは、蓄電池、記憶手段、マイクロ・コントローラ、検出器、無線データ送信及び／又は受信装置、及び信号生成器のうちの少なくとも１つを備えることができる。  有利なことに、検出器は、温度検出器、加速度計、ジャイロメータ、心臓リズム測定器のうちの少なくとも１つであり得る。したがって、接続インタフェースを介して、様々なデバイスから読み出しを行ったり、充電をしたり、ソフトウエアをアップデートしたりすることができる。よって、柔軟性の高いデータ交換システムが提供され得る。
【００１７】
都合のよいことに、第２のテンプルだけが、蓄電池を備えることができる。更に好ましくは、第１の接続インタフェースは、第１のテンプルから眼鏡枠及び／又は第２のテンプルへの電源供給、データ転送及び信号転送のうちの少なくとも１つを可能にする多端子ピンコネクタを含む。より好適には、多端子ピンコネクタは、標準コネクタの１つ、特にＡ型又はＢ型のＵＳＢ１、ＵＳＢ２、又はＵＳＢ３コネクタ、ＵＳＢミニ、ＵＳＢマイクロ又はＦｉｒｅＷｉｒｅＩＥＥＥ１３９４コネクタであり得る。このように、第１のテンプルの装置は、第２のテンプルの電池によって駆動される。そして、第１の接続インタフェースを介して、信号及びデータ転送、及び／又は電源が分配されて設けられ、その一方、第２接続インタフェースは電源を供給するように構成されるだけであるので単純化されるよう、インタフェースが構成され得る。複数のピンコネクタがすでに標準コネクタ（例えばＵＳＢコネクタ）である場合、コンピュータなどの基地局としての電子的装置において直接標準インタフェースを使用することが可能である。例えば、単にテンプルを、コンピュータのＵＳＢポート、又はデータ転送又は充電を可能にするための嵌合コネクタを備えた他のあらゆる装置に差し込むことが可能である。
【００１８】
好ましくは、第２の接続インタフェースは、電源供給を可能とするように構成されることができる。この場合において、第２の接続インタフェースが電源を許容するだけのように構成されることができるのが更に好適である。このように、電源手段に対する電子的装置の誤った接続は、装置を害することがあり得るが、それが防止され得る。
好ましくは、基地局は、ユーザに基地局に対するテンプルの接続状態を知らせる視覚手段又は可聴手段を備えることができる。これは、システムの使用を容易にして、正しい接続状態を確実にする。
【００１９】
有利なことには、基地局は、付加的な電子的装置、特にコンピュータ、記憶装置、プリンタ、画面表示装置及び／又は外部電源に向けた第３の接続インタフェースを備えることができる。
【００２０】
好ましくは、データ交換システムは、好ましくはフック部及び嵌合凹部を有し、前記着脱可能なテンプルの眼鏡枠との接続を固定する固定手段を更に備えることができる。これにより、テンプルの意図しない離脱を防止することができる。
【００２１】
好適な実現によれば、固定システムは、接続インタフェースの一部でない。この場合、標準コネクタが用いられ得るが、にもかかわらず機械的接続が追加的に設けられる。これにより、意図的でない分離が防止される。
【００２２】
本発明は、上述のデータ交換システムに使用される眼鏡にも関連する。眼鏡は、眼鏡枠と、少なくとも一つの着脱可能なテンプルを備える。
【００２３】
本発明は、眼鏡枠及び着脱可能なテンプルを備えた眼鏡に設けられた装置と、基地局との間のデータ交換のための方法にも関する。この方法は、次のステップを有する。
ａ．  データを取得し、
ｂ．  前記着脱可能なテンプル内の記憶装置にデータを記憶させ、
ｃ．  前記テンプルを外し、
ｄ．  前記テンプルを前記基地局に接続させ、
ｅ．  前記記憶装置からデータを読み出す
この方法は、基地局への確実なデータ転送を可能にし、一方、同時にユーザが眼鏡枠を気持ちよく担持することができるようにすることを可能にする。
【００２４】
本発明の目的は、請求項７に従った方法でも達成される。この方法は、眼鏡枠に接続される着脱可能なテンプルに設けられるバッテリを充電する方法に関する。この方法は、次のステップを有する。
ｆ．  前記テンプルを前記眼鏡枠から外し、
ｇ．  前記テンプルを基地局に接続し、
ｈ．  前記バッテリを前記基地局を介して充電する
この方法は、テンプル又は眼鏡枠に設けられた装置を駆動するのに必要なバッテリの充電を簡易化することを可能にする。同時に、ユーザの快適さが保たれる。
好ましくは、読み出し又は充電の工程は、同時に実行され得る。変形    
【００２５】
例によれば、データは１つのテンプルから読み出され、バッテリの充電は第２のテンプルにおいて生ずる。
好ましくは、この方法は、上記のータ交換システムを使用して実施されることができる。
【図面の簡単な説明】
【００２６】
【図１】本発明によってデータ交換システムの第１の実施の形態を例示する。
【図２】本発明によってデータ交換システムの第２の実施の形態を例示する。
【図３ａ】第３の実施の形態を例示する。
【図３ｂ】第３の実施の形態を例示する。
【図３ｃ】第３の実施の形態を例示する。
【図４】ブロック図に基づいてデータ交換システムを使用する方法を取扱っている本発明の第４の実施の形態に関して略図で例示する。
【図５】ブロック図に基づいてデータ交換システムを使用する方法を取扱っている本発明の第５の実施の形態に関して略図で例示する。
【発明を実施するための形態】
【００２７】
以下、本発明の特徴を好適な実施の形態と関連して詳細に説明する。
図１は、本発明によるデータ交換システムの第１の実施の形態を図示する。
【００２８】
データ交換システムは、眼鏡枠３と、第１及び第２のテンプル５、７を有する眼鏡１を備える。図１の示した図において、テンプル７だけが、直接又はヒンジ９を介して、眼鏡枠３に接続している。本実施の形態におけるテンプル５は着脱可能なテンプルであり、図１では分離した状態で図示されている。
【００２９】
テンプル５は眼鏡枠３に直接に、又はこの場合のように、ヒンジ１９を介して接続されることができる。眼鏡枠３は、眼鏡枠３と一体的に形成されている２枚のガラス１１、１３を担持するか、又はその分野で公知の手段によって眼鏡枠３に取り付けられている。
【００３０】
本発明によれば、着脱可能なテンプル５は、さらに、電気接続インタフェース１５を備えている。この実施の形態において、電気接続インタフェース１５は６本のピンを有するコネクタの雄部である、そして、眼鏡枠３は、眼鏡枠３のヒンジ領域１９において嵌合接続インタフェース７を備えている。
【００３１】
嵌合接続インタフェース１７は電気接続インタフェースとして構成され、これにより第１のテンプル５と眼鏡枠３の間の電気的接続を許容してもよいし、あるいは、変形例において、眼鏡枠３に対する電気的接続が不要である場合には、第１のテンプル５と眼鏡枠３の間の機械的接続を可能にするインタフェースだけであってもよい。
【００３２】
更に、第１のテンプル５は、蓄電池、記憶手段、マイクロコントローラ、検出器、無線データ送信及び／又は受信装置又は信号発生器でありえる少なくとも一つの装置２１を備えている。この場合、検出手段は温度検知手段、加速度計、ジャイロメータ又は心臓リズム測定器のどれか一つでありえる。
【００３３】
第１のテンプル５は、オーディオ、はビデオ及び／又は電話装置を備えることもできる。装置２１は、テンプル５に組み込まれてもよいし（例えば、第１のテンプル５の内部に装置２１をモールドしてもよい）、又は当該分野において公知のいかなる手段によっても、テンプル５に取り付けられることができる。
変形例においては、嵌合接続インタフェース１７が電気接続インタフェースであり、眼鏡枠３及び／又は第２のテンプル７が、少なくとも一つの更なる装置２３及び／又は２５を備えている。
装置２１の様に、装置２３又は２５は蓄電池、記憶手段、マイクロコントローラ、検出器、無線データ送信及び／又は受信装置又は信号発生器であり得る。この場合において、検知手段は温度検知手段、加速度計、ジャイロメータ又は心臓リズム測定器のどれか一つでありえる。
【００３４】
装置２３及び／又は２５は、眼鏡枠３又は第２のテンプル７にも組み込まれるか、又は当該分野で公知の何らかの方法により、それらに取り付けられる。
電気的装置２５が第２のテンプル７に存在するという場合において、電気接続が眼鏡枠３と第２のテンプル７との間に設けられることが保証される。
【００３５】
第１の実施の形態によるデータ交換システムはさらに、基地局３１を備えている。基地局３１は、接続凹部３５の底において電気接続インタフェース３３を備えており、それが第１のテンプル５の電気接続インタフェース１５と嵌合するよう構成されている、という事実によって特徴づけられる。このように、この実施の形態における基地局３１の電気接続インタフェース３３は、コネクタの雌部である。基地局はさらに、基地局３１と外部の電子的装置（特にコンピュータ、記憶手段、プリンタ、画面表示装置及び／又は外部電源）とを接続することが可能なコネクタ３７を備えている。
【００３６】
第１の実施の形態において、電気接続インタフェース１５は、６ピンの雄コネクタである。もちろん、電気接続インタフェースは、データ交換システムの要件に従う他のいかなるタイプのものでもよい。
一般的に、６ピンのコネクタの接続は、２本のピンを用いて電源供給を可能にし、２つの他のピンを使用して信号伝送を可能にし、そして、残りの一対のピンを用いてデータ転送を可能にする。よって、対応する雌の接続インタフェース１７を備えている眼鏡枠３との接続状態において、電源を眼鏡枠３及び／又は第２のテンプル７に設けられている装置に提供することが可能となり、信号送信／受信、更にはデータ転送を可能にする。
【００３７】
以下において、本発明のデータ交換システムの特別な有利な応用について説明する。本発明によるこの応用において、眼鏡枠３はガラス１１又は１３のうちの１つに取り付けられるアンテナ回路２３ａを備えており、アンテナ回路及びＬＣ回路を担持しているコンタクトレンズの方に電源供給及び信号転送することを許容し、患者の眼内の眼圧（ＩＯＰ）を測定することを許容する。
結果的に、第２アンテナ回路２３ｂは、患者によって担持されている第２のコンタクトレンズから供給される信号を増幅し読み出すために、もう一方のガラス１１又は１３に取り付けられる。コンタクトレンズによって検出される信号は、ガラス１１及び／又は１３上のアンテナ回路によって捕捉され、接続インタフェース１７及び１５を介して、テンプル５の一部である記憶手段に向けて転送される。例えば、導電配線の組込ワイヤを使用して転送される。もちろんこの特定用途で、追加の装置２３は存在する必要はない。
【００３８】
テンプル５の信号発生器は、所定の形状の信号をアンテナ回路に順々に提供する。その後、眼鏡上のアンテナ回路によって順次受信される信号は、患者の眼内の眼圧を分析するために用いられる
テンプル５上へ搭載された記憶手段を読み出すために、医療スタッフは、単に眼鏡枠３からテンプル５を分離することができ、それを基地局３１の電気接続インタフェース３３に接続することができる（例えば、テンプル５を雌コネクタ３３が配置される凹部３５の底に導入することにより）。
【００３９】
テンプル５の記憶手段のデータを読み出しの後、搭載された電池を再充電することもできるし、及び／又は、テンプル５に搭載されたマイクロコントローラを再プログラミングすることもできる。インタフェース３７を介してテンプル５の中で読み出されるデータは、更なる分析のためのコンピュータへ転送されることができる。そして、同時に、電源が電池を再充電するために提供されることができる。
【００４０】
ワイヤ・ベースのデータ転送や無線のデータ転送とは対照的に、眼鏡枠３及び基地局３３におけるインタフェースに嵌合する接続インタフェースを有する着脱可能なテンプルの利用は、ユーザ、ここでは例えば患者による眼鏡の快適な着用を可能にするだけでなく、権限を有する人のみが機密医学データを読むことができる。同一の接続インタフェースを使用することは、全体の設計をシンプルにすることができるという効果を与える。
【００４１】
変形例によれば、標準化されたコネクタ（例えばＵＳＢコネクタ、マイクロＵＳＢコネクタ又はＩＥＥＥ１３９４）が電気的インターフェース１５、１７及び３３として使われる場合には、基地局３１は最終的な電子的装置（例えばコンピュータ）であり得る。変形例によれば、雄部と雌部は交換することができる。
【００４２】
図２は、本発明のデータ交換システムの第２の実施の形態を例示する。同じ参照番号を有している要素及び特徴は重ねて詳細に説明されないが、上記の詳細な説明への参照がなされる。
第２の実施の形態においては、第１のテンプル５がフレーム３から着脱可能なだけでなく、第２のテンプル４１も着脱可能であり、対応する接続インタフェース４５、特に眼鏡枠３のヒンジ部分４７の電気接続インタフェースと嵌合する第２の電気接続インタフェース４３を備えている。
【００４３】
この実施の形態において、第２のテンプル４１は、組み込まれるか又はそれに取り付けられている電気装置４２（例えば蓄電池、マイクロコントローラ、記憶手段など）を備えることができる。
第２の実施の形態の好適な実現において、第２のテンプル４１は、電源を眼鏡枠上の装置２３及び／又は第１のテンプル５の装置２１に提供するために用いることができる蓄電池を備えている。
【００４４】
原則として、第２のテンプル４１の接続インタフェースは第１のテンプル５に関してのそれと同一でありえるが、第２の実施の形態の更に好適な変形例では、電気的インターフェース４３は、第１の接続インタフェース１５と異なる。特に、このインタフェースは、第１の接続インタフェースと互換性を持たない。それにより、第２のテンプル４１が第１のインタフェース１７と意図せず誤接続されたり、また逆に第１のテンプル５が第２の接続インタフェース４５と誤接続されたりすることが防止され得る。最終的に、更なる変形例によれば、第２の接続インタフェースを有するテンプルが両方のタイプの雌接続インタフェースに接続することができる一方、第１の接続インタフェースを有するテンプルは１種類の雌の接続インタフェースだけに接続することができるよう、接続インタフェースを配置することができる。
【００４５】
第２の実施の形態の基地局５１は、その底部に嵌合電気接続インタフェース３３を有する第１の相互作用凹部３５を備える。第１の基地局３１とは対照的に、基地局５１はさらに、第２のテンプル４１の接続インタフェース４３を受容するように構成される第２の嵌合接続インタフェース５５を有する第２の凹部５３を備えている。本発明の１つの更なる変形例によれば、眼鏡枠３の接続インタフェース４５と、基地局５１の接続インタフェース５５とは同一である。
【００４６】
基地局５１の右には、第１のタイプの雌電気接続インタフェース３３、及び第２のタイプの雌電気接続インタフェース５５のピンのための受け凹部の配列が概略的に図示されている。理解されるように、両方の接続インタフェースは、その凹部の配列のため、互いに互換性がなく、そのため、ユーザは間違って第１及び第２のテンプルを基地局５１の接続凹部３５及び５３に接続することができない。また、接続インタフェース４３及び４５の雄部及び雌部は、交換されることができる。
【００４７】
第２のテンプルに電池手段４２が存在することから、第１のテンプルはマイクロコントローラ、記憶手段その他を担持する一方、第２のテンプルは電池を担持するため、第２の実施の形態の眼鏡は、接続状態において、テンプル５及び４３の重量を等しくすることができるという効果を有する。テンプルに充電をして、読み出しを行うときに、両方のテンプルは分離されることができ、そして、基地局に接続することができる。このことは、柔軟性を増大させる。特に、充電は専用とすることができ、従って第１の実施の形態に比べより速い方法で実現することができる。第２の実施の形態の１つの変形例において、第２のテンプルだけが蓄電池を備えている。
【００４８】
第１の実施の形態のように、基地局５１は第３の接続インタフェース３７を備えており、外部装置（例えばコンピュータ）への接続を許容し、及び／又は電源供給を許容する。
第１のインタフェース１５及び第２のインタフェース４３が同一であるか又は互いに少なくとも互換性を持つという場合においては、更に第２の実施の形態の眼鏡を第１の実施の形態の基地局３１と結合することは可能である。
【００４９】
更なる変形例によれば、第１の実施の形態の基地局３１はテンプル５からデータを読み出すために用いることができるが、テンプル４１の電池手段４２はＡＣ電源線に接続される充電装置を使用して充電することができる。
【００５０】
図３は、本発明に従うデータ交換システムの第１及び第２の実施の形態のいずれか一つと結合されることができる第３の実施の形態の３つの図を図示する。
図３ａは、テンプル５及びフレーム３の離脱状態を上部から示している。図３ｂは、離脱状態を横から見たものであり、図３ｃは、取り付けられロックされた状態を横から示している。
【００５１】
この実施の形態は、着脱可能なテンプル５又は４１の接続の改良に関する。フレームをテンプルに適当に取付けることを確実にするために、第３の実施の形態は、テンプル５、４１においてフック部６１及び嵌合凹部６３を備える機械的固定手段を使用することを提案する。この実施の形態において、凹部６３がテンプル５、４１の一部であるのに対して、フック部分６１は眼鏡枠３において形成される。標準的なコネクタの使用を許容するために、フック部６１及び凹部６３は接続インタフェース１５及び１７の一部を形成しない。しかしながら、変形例において、接続手段は、接続インタフェースに組み込まれることができる。
【００５２】
フック部分６１は、柔軟に配置され、その先端に、又は先端の近くに、凹部６３内の対応する嵌合溝６７と嵌合するノーズ部６５を備える。この実施の形態において、溝６７は、図３ｃに図示したように、テンプル５、４１の横方向の側の貫通穴６９として実現される。このように、ユーザは、係止された状態をリリースするためにノーズ部６５を押すことができ、それをフレーム３から引き離すことによってテンプル５を分離することが可能である。
【００５３】
更に、ヒンジ部９、１９、４７は、テンプルを開くときに例えばスイッチ手段を用いてフレーム上の装置の電源を入れることができ、またテンプルが畳まれた場合に装置がシャットオフされるよう構成されている。例えば、マイクロスイッチ又はミニスイッチ４８は、１つまたは両方のヒンジ部９、１９、４７を設けられることができ、あるいは一つ又は両方のテンプル５、４１に設けられることができる。
【００５４】
上述の各種実施形態及び変形例の特徴は、本発明の更なる変形例を得るため、それぞれ互いに結合させることができる。
本発明によれば、データ交換システムは、図４において例示される第４の実施の形態に従って使用され、眼鏡枠３及び少なくとも一つの着脱可能なテンプル５を有する眼鏡１に設けられた装置と、基地局３１との間のデータ交換のための方法を提供する。この方法は、データを装置２３又は２５により得るステップと（ステップ７１）、データを着脱可能なテンプル５の記憶装置２１に格納するステップ（ステップ７３）を備える。次のステップ（ステップ７５）において、テンプル５は、枠３から分離されて、基地局３１の接続インタフェース３３に接続される（ステップ７７）。それから、データは記憶装置から読み出され、基地局のメモリ、又は基地局３１に接続している外部装置に読み出される（ステップ７９）。データはそれから分析されることができる。
【００５５】
さらに、データ交換システムは、図５において例示される第５の実施の形態に従って使用されることができ、眼鏡枠３に接続している着脱可能なテンプル４１に設けられている電池２５を充電するための方法を提供する。この方法は、眼鏡枠３からテンプル４１を分離するステップ（ステップ８１）と、それを基地局５１に接続するステップ（ステップ８３）と、電池を充電するステップ（ステップ８５）とを備える。
第５及び第４の実施の形態は結合することができ、同時に実施することができる。そして、さらに、第１〜３の実施の形態によるデータ交換システムのいずれか一つ、又はそれらの変形例及び組合せのいずれかを、上述の方法を実施するために使用することができる。
【図１】
2014502364.tif 000003
【図２】
2014502364.tif 000004
【図３ａ】
2014502364.tif 000005
【図３ｂ】
2014502364.tif 000006
【図３ｃ】
2014502364.tif 000007
【図４】
2014502364.tif 000008
【図５】
2014502364.tif 000009
【国際調査報告】
2014502364.tif 000010
2014502364.tif 000011
2014502364.tif 000012